(57)【要約】      （修正有）【課題】効率よく回収することができ、広告効果も高いケース及び芯を提供する。【解決手段】ティッシュボックス２の正面２ａ、背面２ｂ及び左右側面２ｃ、２ｄに印刷された広告とからなることを特徴とする広告付きケース、複数個のティッシュボックス２、前記ティッシュボックスの任意の面に分割して印刷された広告片からなる広告とからなることを特徴とする広告付きケース、中央付近にタイトル及び内容が記載されており、その他会社名や発行印、有効期限等の情報が記載されたことを特徴とする広告付きケース１で使用する割引券４、表面に会社名及び広告内容が記載された芯とからなることを特徴とする広告付き芯、表面に会社名や広告が印刷された長めの芯からなることを特徴とする広告付き芯の構成とした。【選択図】図１
0003144498.tif 000002
【実用新案登録請求の範囲】
【請求項１】
内部にティッシュを収納するとともに片を有する差込孔を複数形成したティッシュボックスと、前記ティッシュボックス内に収納した割引券４とからなることを特徴とする広告付きケース。
【請求項２】
ティッシュ内に一定枚数毎に挿入された色つきティッシュとからなることを特徴とする請求項１に記載の広告付きケース。
【請求項３】
ティッシュボックスの正面、背面及び左右側面に広告を印刷したことを特徴とする請求項１又は請求項２に記載の広告付きケース。
【請求項４】
複数のティッシュボックスと、前記複数のティッシュボックスの任意の面に分割して広告片を印刷し、複数のティッシュボックスを積み重ねると広告が完成するようにしたことを特徴とする広告付きケース。
【請求項５】
中央付近にタイトル及び内容が記載されており、その他会社名や発行印、有効期限等の情報が記載されたことを特徴とする請求項１乃至請求項４に記載の広告付きケースに使用する割引券。
【請求項６】
表面に会社名、前記会社の広告内容及び割引額を記載したことを特徴とする広告付き芯。
【請求項７】
表面に店名等の会社名、広告及び割引率を印刷した長めの芯としたことを特徴とする広告付き芯。
【考案の詳細な説明】
【技術分野】
【０００１】
本考案は、広告付きケース及び広告付き芯に関する考案である。
【背景技術】
【０００２】
従来、ティッシュペーパー等に使用されていたケースは表面に商品名やデザインが印刷されおり、アルミホイルやサランラップ（登録商標）等の芯は硬い筒状のダンボールがしようされていた。
【０００３】
しかしながら、従来のティッシュペーパー等に使用されていたケースは封を開けてから捨てるまでの長い間、人の目につく場所に存在しているにもかかわらずケース以外の役割を果たしていなかった。
【０００４】
また、従来のティッシュペーパー等に使用されていたケースやアルミホイル等の芯は再生紙の原料となるにもかかわらず他の燃えるゴミと一緒に捨てられてしまっており、回収が難しいものであった。
【考案の開示】
【考案が解決しようとする課題】
【０００５】
そこで、本考案は、使用している間はティッシュペーパー等のケース以上の役割を持つケースと、効果的に回収することが可能なケース及び芯を提供することを目的とするものである。
【課題を解決するための手段】
【０００６】
本考案は、上記の課題を解決するために、内部にティッシュ３を収納したティッシュボックス２と前記ティッシュボックス２内に差し込まれて使用される割引券４とからなることを特徴とする広告付きケース１、前記ティッシュ３内に一定枚数毎に挿入された色つきティッシュ３ａとからなることを特徴とする広告付きケース１ａ、ティッシュボックス２の正面２ａ、背面２ｂ及び左右側面２ｃ、２ｄに印刷された広告２ｉとからなることを特徴とする広告付きケース１ｂ、複数個のティッシュボックス２、前記ティッシュボックスの任意の面に分割して印刷された広告片５ａ〜５ｅ（６ａ〜６ｅ）からなる広告５とからなることを特徴とする広告付きケース１ｃ（１ｄ）、中央付近にタイトル４ａ及び内容４ｂが記載されており、その他会社名４ｃや発行印４ｄ、有効期限４ｅ等の情報が記載されたことを特徴とする広告付きケース１〜１ｄで使用する割引券４、表面に会社名８ａ及び広告内容８ｂが記載された芯８とからなることを特徴とする広告付き芯７及び表面に会社名９ａや広告９ｂが印刷された長めの芯９からなることを特徴とする広告付き芯７ａの構成とした。
【考案の効果】
【０００７】
本考案の広告付きケースは、表面に広告が印刷されており中身のティッシュペーパー等が無くなるまでの長い間、広告として存在することができ、日々配達される折り込み広告よりも大きな広告効果が期待できる。
【０００８】
また、割引広告等のついた空ケースや空ケースを複数個集めてパズルを完成させて該当する店舗へ持って行くことで利用者は更に特典を受けることができ、回収者は効率よく空ケースを回収することができる。
【０００９】
また、広告付き芯についても表面に特典の受けることができる広告を印刷することで上記ケースのように利用者は特典を受けることができ、回収者は効率よく芯を回収することができる。
【考案を実施するための最良の形態】
【００１０】
効率よく回収することができ、広告効果も高いケース及び芯という目的を、ケース及び芯の表面に広告等を印刷することにより実現した。
【実施例１】
【００１１】
図１は本考案である広告付きケースの斜視図である。図１に示すように、本考案である広告付きケース１は、内部にティッシュ３を備えたティッシュボックス２と前記ティッシュボックス２内に差し込み使用する割引券４とからなる。
【００１２】
前記割引券４はティッシュボックス２の底に入れられており、利用者はティッシュ３を最後まで使用した後に割引券４を発券することができる。但し、この割引券４についてはティッシュボックス２内に差し込み、ティッシュ３の上部や中間部に入れも構わない。
【００１３】
前記ティッシュボックス２の左右側面２ｃ、２ｄには通常切り広げ可能な片２ｈ、２ｈを有する差込孔２ｇが形成されており、これは残り少なくなったティッシュ３を取り出しやすくするためのものであるが、この片２ｈに割引広告や得点などを記載してもよい。前記片２ｈに得点を記載した場合、集めた得点に応じて景品交換等に利用できる。
【実施例２】
【００１４】
図２は、本考案である広告付きケースの第２実施例の斜視図である。本考案である広告付きケース１ａは、内部にティッシュ３を備えたティッシュボックス２と前記ティッシュ３内に一定枚数毎に挿入された色つきティッシュ３ａとからなる。
【００１５】
前記色つきティッシュ３ａはティッシュボックス２の中に１枚だけ入れておいてもよく、また通常のティッシュ１００枚毎等のように、一定の枚数毎に入れてもよい。更に挿入間隔を決めずにランダムに複数枚入れておいても構わない。
【００１６】
そして、色つきティッシュ３ａについては、商品の割引券としたり、複数枚集めることで特典を与えたりと、特別な効果を与えておくことで、集客や古紙の回収を効率よく行うことに利用することができる。
【００１７】
また、図２に示すように、広告付きケース１ａにおいてもティッシュボックス２の左右側面２ｃ、２ｄには切り広げ可能な片２ｈが形成されているため、実施例１で示したように割引広告や得点などを記載して色つきティッシュ３ａと併用しても構わない。更に、ティッシュボックス２に差し込まれる割引券４を併用することも可能である。
【実施例３】
【００１８】
図３は、本考案である広告付きケースの第３実施例の斜視図である。図３に示すように、本考案である広告付きケース１ｂは、内部にティッシュ３を備えたティッシュボックス２と前記ティッシュボックス２の正面２ａ、背面２ｂ及び左右側面２ｃ、２ｄに印刷された広告２ｉとからなる。
【００１９】
前記広告２ｉは切り取って各該当店舗等で割引や特典を受けることができる。また、単に割引等の内容ではない広告であってもティッシュ３を使い切るまでの長い間は人目に付く場所に置かれているため、日々配達される折込広告よりも長期間に渡った広告効果が得られる。
【００２０】
尚、広告付きケース１ｂについても、実施例１及び実施例２で示した片２ｈ、割引券４、色つきティッシュ３ａ等を併用してもよい。
【実施例４】
【００２１】
図４は、本考案である広告付きケースの第４実施例の斜視図である。図４に示すように本考案である広告付きケース１ｃは、複数個のティッシュボックス２からなり、前記複数のティッシュボックス２の正面２ａにそれぞれ全体として広告となる広告片５ａ〜５ｅを各ティッシュボックス２に印刷し、印刷された複数のティッシュボックス２、２、２、２・・・・を積み重ねると一つの広告５が完成する。
【００２２】
前記各ティッシュボックス２はティッシュ３が収納されていて、左右側面２ｃ、２ｄには切り広げ可能な片２ｈを有する差込孔２ｊが形成されている。また、任意の面（図４では正面２ａ）には広告５を形成する広告片５ａ（５ｂ〜５ｅ）が印刷されている。
【００２３】
前記ティッシュボックス２を重ねる際に、広告片５ａ〜５ｅが順番に重ねると、複数のティッシュボックス２を積み重ねたり並べることにより一つの所望の広告５が完成する。
【００２４】
前述のように、各ティッシュボックス２に印刷される広告範囲には限度があるため、このように複数個のティッシュボックス２を利用することでより広い範囲に広告を記載することができる。
【００２５】
また、使い終わったティッシュボックス２を複数個揃えて広告５を完成させている利用者に対しては通常よりも内容の良い特典を与えることで、やはり効率よい集客や古紙回収が可能となる。
【００２６】
尚、広告付きケース１ｃについても、実施例１乃至実施例３で示した差込孔２ｊの片２ｈ、割引券４、色つきティッシュ３ａ、広告２ｉ等を併用してもよい。
【実施例５】
【００２７】
図５は、本考案である広告付きケースの第５実施例の斜視図である。図５に示すように本考案である広告付きケース１ｄは、第４実施例で示した広告付きケース１ｃと同じである。
【００２８】
即ち、本考案である広告付きケース１ｄは、複数個のティッシュボックス２と、前記ティッシュボックス２の正面２ａに分割して印刷された広告片６ａ〜６ｅからなる広告６とからなる。広告５と広告６の内容が異なっている。
【００２９】
実施例１から実施例５に示した各広告付きケース１〜１ｄを構成するティッシュボックス２に広告を印刷する面については、特に限定しておらず、正面２ａ、背面２ｂ、左右側面２ｃ、２ｄ、上面２ｅ及び底面２ｆの全ての面を利用することができる。尚、符号２ｇについてはティッシュ３を引き出すための取り出し孔２ｇを示している。
【実施例６】
【００３０】
図６は、本考案である広告付きケースで入れる割引券を示す図である。図６に示すように、本考案である広告付きケース１〜１ｄで使用する割引券４には中央付近にお食事割引券であるとのタイトル４ａ及び発行年月日、発行店等の内容４ｂが記載されており、その他会社名４ｃや発行印４ｄ、有効期限４ｅ等の情報が記載されている。
【００３１】
前記タイトル４ａは、その割引券４の種類が明白に分かるようなものが望ましく、図６に示したような「お食事割引券」等の表記が好ましい。また、内容４ｂについては、タイトル４ａを踏まえ、具体的にどのような特典を得ることが可能であるかを簡潔に示していることが望ましい。図６では「２００円分の食事代金の割引が可能」であることが分かる。但し、タイトル４ａや内容４ｂについては特に記載の制限はなく、発行する会社や店舗が自由に決めることができる。
【００３２】
前記会社名４ｃは割引券を使用できる店舗を示している。また、偽造防止の為に発行印４ｃを押印しておくことで、正規の割引券であることが分かる。更に、有効期限４ｅを決めることで一定期間内に集客と古紙回収を見込むことができる。
【実施例７】
【００３３】
図７は、本考案である広告付き芯の斜視図である。図７に示すように、本考案である広告付き芯７は、表面に会社名８ａ及び広告内容８ｂが記載された芯８とからなる。この芯７を１０本集めて持参すると１０円が割り引き（割引され安くなる）されること表示した「１０本１０円」も表示されている。
【００３４】
一般の燃えるゴミと一緒に捨てられているトイレットペーパーの芯も回収することで再生紙の原料とすることができるため、使い終わった後に残る芯８に広告や回収内容８ｂを記載することで一般の燃えるゴミとは別に回収することができる。
【００３５】
芯８に印刷する内容については、あまりスペースが無いため図７に示すように、会社名８ａと内容８ｂだけであってもよく。また、簡単な広告を記載することも可能であり、特に限定はしていない。
【実施例８】
【００３６】
図８は、本考案である広告付き芯の斜視図である。図８に示すように、本考案である広告付き芯７ａは、前記実施例７の広告付き芯７とほぼ同じである。即ち、表面に会社名９ａや広告９ｂが印刷された長めの芯９からなる。
【００３７】
図８に示すように、芯９は実施例７の芯８よりも長いため、より多くの情報を記載することができる。従って、会社名９ａ及び広告９ｂ以外にも情報を記載することが可能である。
【００３８】
但し、広告付き芯７、７ａはトイレットペーパー芯やサランラップ芯に限定したものではなく、アルミホイルやキッチンペーパー等の芯であってもよい。
【図面の簡単な説明】
【００３９】
【図１】本考案である広告付きケースの斜視図である。
【図２】本考案である広告付きケースの第２実施例の斜視図である。
【図３】本考案である広告付きケースの第３実施例の斜視図である。
【図４】本考案である広告付きケースの第４実施例の斜視図である。
【図５】本考案である広告付きケースの第５実施例の斜視図である。
【図６】本考案である広告付きケースで使用する割引券を示す図である。
【図７】本考案である広告付き芯の斜視図である。
【図８】本考案である広告付き芯の斜視図である。
【符号の説明】
【００４０】
１      広告付きケース
１ａ    広告付きケース
１ｂ    広告付きケース
１ｃ    広告付きケース
１ｄ    広告付きケース
２      ティッシュボックス
２ａ    正面
２ｂ    背面
２ｃ    左側面
２ｄ    右側面
２ｅ    上面
２ｆ    底面
２ｇ    取り出し孔
２ｈ    片
２ｉ    広告
２ｊ    差込孔
３      ティッシュ
３ａ    色つきティッシュ
４      割引券
４ａ    タイトル
４ｂ    内容
４ｃ    会社名
４ｄ    発行印
４ｅ    有効期限
５      広告
５ａ〜５ｅ  広告片
６      広告
６ａ〜６ｅ  広告片
７      広告付き芯
７ａ    広告付き芯
８      芯
８ａ    会社名
８ｂ    内容
９      芯
９ａ    会社名
９ｂ    広告
【図１】
0003144498.tif 000003
【図２】
0003144498.tif 000004
【図３】
0003144498.tif 000005
【図４】
0003144498.tif 000006
【図５】
0003144498.tif 000007
【図６】
0003144498.tif 000008
【図７】
0003144498.tif 000009
【図８】
0003144498.tif 000010
【手続補正書】
【提出日】平成20年6月26日(2008.6.26)
【手続補正１】
【補正対象書類名】実用新案登録請求の範囲
【補正対象項目名】全文
【補正方法】変更
【補正の内容】
【実用新案登録請求の範囲】
【請求項１】
内部に複数のティッシュを備えたティッシュボックスの表面に広告が印刷されたことを特徴とする広告付きケース。
【請求項２】
前記ティッシュボックスの左右側面に切り広げ可能な片を有する差込孔が形成され、かつ前記片に割引広告又は得点を記載したことを特徴とする請求項１に記載の広告付きケース。
【請求項３】
ティッシュボックス内部に割引券が入れられたことを特徴とする請求項１又は請求項２に記載の広告付きケース。
【請求項４】
複数のティッシュボックスの任意の面に分割して、前記複数のティッシュボックスを積み重ねると複数のティッシュボックス全体として完成した広告となる広告片を印刷したことを特徴とする広告付きケース。
【請求項５】
請求項１乃至請求項４のいずれか一項に記載の広告付きケース内に入れて使用する割引券であって、中央付近にタイトル及び内容が記載されており、その他会社名や発行印、有効期限等の情報が記載されたことを特徴とする割引券。